(57)【要約】【課題】間接放射線が放射線検出器に入射することを抑制し、コントラストの高い断層画像が取得できる放射断層撮影装置を提供する。【解決手段】本発明のＸ線撮影装置に係るコリメータのリーフ９ａは、Ｘ線ビームをコリメートしてＸ線管３の回転移動方向について幅狭のファンビームとする。この様に構成することで、取得される短冊状画像に間接Ｘ線ｓが入射するのを抑制することができる。これにより短冊状画像のコントラストは高いものとなる。したがって、短冊状画像を基に再構成された断層画像もコントラストが高いものとなり、診断に適した鮮明な断層画像が提供できる。【選択図】図７
2010233877.tif 000002
【特許請求の範囲】
【請求項１】
放射線ビームを照射する放射線源と、前記放射線源に付設された前記放射線ビームをコリメートするコリメート手段と、これを制御するコリメート制御手段と、コリメートされた放射線ビームを検出する放射線検出手段と、前記放射線源と前記放射線検出手段とを支持することで両者の相対的な位置関係を保持するとともに、回転可能となっている支持手段と、断層画像を取得する断層画像取得手段とを備え、前記支持手段が回転されることにより、前記放射線源と前記放射線検出手段とが所定の軸周りに回転されながら複数の放射線透視画像を取得し、前記断層画像取得手段は、これらを再構成して断層画像を取得する放射線断層撮影装置において、
前記コリメート制御手段は、前記コリメート手段を制御することにより、前記放射線ビームをコリメートして前記放射線源の回転移動方向について幅狭のファンビームとし、
前記放射線源は、所定の軸周りに回転されながら前記ファンビームを前記放射線検出手段に向けて照射し、
前記放射線検出手段は、前記ファンビームを検出して、前記所定の軸に沿って伸びた細長状の放射線透視画像を出力し、
前記断層画像取得手段は、複数の前記細長状となっている放射線透視画像を再構成して断層画像を取得することを特徴とする放射線断層撮影装置。
【請求項２】
請求項１に係る放射線断層撮影装置において、
前記放射線検出手段における放射線を検出する検出面を覆うように配置された放射線グリッドを更に有し、
前記放射線グリッドには、散乱放射線を吸収する第１方向に伸びた吸収箔の各々が前記所定の軸に配列されていることを特徴とする放射線断層撮影装置。
【発明の詳細な説明】
【技術分野】
【０００１】
本発明は、放射線を照射する放射線源を被検体の体軸周りに移動させることによって得られた一連の放射線透視像を組み立てて、被検体の断層画像を取得する放射線断層撮影装置に関し、特に被検体の体内で散乱した放射線の影響を排除し、コントラストの高い断層画像を取得することができる放射線断層撮影装置に関する。
【背景技術】
【０００２】
被検体に放射線を照射し、被検体を透過した透過放射線をイメージングする放射線断層撮影装置には、様々な構成のものがある。例えば、放射線を照射する放射線源と、放射線を検出する放射線検出器の各々がＣ型の支持部材（Ｃ型アーム）の両先端に支持されている構成のものがある。この様な、Ｃ型アームを有する放射線検出器は、放射線投影像を撮影しながら被検体に造影剤を注射することが容易なので、例えば、被検体の血管造影検査などに用いられる。
【０００３】
まずは、従来の放射線断層撮影装置５１の構成について説明する。従来の放射線断層撮影装置５１は、図１１に示すように、被検体Ｍを載置する天板５２と、被検体Ｍに放射線を照射するＸ線管５３と、放射線を検出するとともに、検出素子が２次元的に配列された放射線検出器５４と、Ｘ線管５３の管電力を制御するＸ線管制御部５６と、Ｘ線管５３と放射線検出器５４とを支持するＣ型アーム５７と、これを駆動するＣ型アーム駆動機構５９と、Ｃ型アーム駆動機構５９を制御するＣ型アーム駆動制御部６０とを備えている。なお、Ｃ型アーム５７は、支柱５８によって支持されている。なお、Ｃ型アーム５７は、被検体Ｍの体軸周りに回転することができ、これに伴って放射線検出器５４とＸ線管５３とが互いの相対的位置を維持しながら旋回移動する。
【０００４】
このような放射線断層撮影装置５１は、被検体Ｍの断層像を取得することもできる。すなわち、Ｃ型アーム５７を中心軸Ｃ周りに旋回移動させながら被検体の放射線透視画像を複数枚取得し、これらを基に被検体Ｍを体軸方向Ａと直交する平面で裁断したときの断層画像（アキシャル画像）が撮影できる構成となっている。このような放射線断層画像の取得を行う医用装置の具体的な構成は、例えば特許文献１に記載されている。
【先行技術文献】
【特許文献】
【０００５】
【特許文献１】特開平１１−１４６８７５号公報
【発明の概要】
【発明が解決しようとする課題】
【０００６】
しかしながら、この様な従来の構成によれば、次のような問題点がある。
すなわち、従来の放射線断層撮影装置５１は、被検体Ｍの体内で進行方向が変更した散乱放射線が放射線透視画像に写りこんでしまい、取得される断層画像のコントラストが悪化するという問題がある。
【０００７】
間接放射線（散乱放射線）について簡単に説明する。図１２は、従来構成を説明する図であり、被検体に向けてコーン状の放射線ビームＢを照射した場合である。図１２における直接放射線ｄは、放射線検出器５４に入射する。この直接放射線ｄの進路上において間接放射線ｓが生じ、この間接放射線ｓは放射線検出器５４に入射してしまっている。散乱放射線が放射線検出器５４に入射すると、取得される放射線透視画像の視認性の悪化に繋がる。具体的には、間接放射線ｓによって放射線透視画像が一様に明るくなり、コントラストが悪化する。この間接放射線ｓは、散乱放射線とも呼ばれる。
【０００８】
本発明は、この様な事情に鑑みてなされたものであって、その目的は、間接放射線が放射線検出器に入射することを抑制し、コントラストの高い断層画像が取得できる放射断層撮影装置を提供することにある。
【課題を解決するための手段】
【０００９】
本発明は、上述の目的を達成するために、次のような構成をとる。
すなわち、請求項１に係る放射線断層撮影装置は、放射線ビームを照射する放射線源と、放射線源に付設された放射線ビームをコリメートするコリメート手段と、これを制御するコリメート制御手段と、コリメートされた放射線ビームを検出する放射線検出手段と、放射線源と放射線検出手段とを支持することで両者の相対的な位置関係を保持するとともに、回転可能となっている支持手段と、断層画像を取得する断層画像取得手段とを備え、支持手段が回転されることにより、放射線源と放射線検出手段とが所定の軸周りに回転されながら複数の放射線透視画像を取得し、断層画像取得手段は、これらを再構成して断層画像を取得する放射線断層撮影装置において、コリメート制御手段は、コリメート手段を制御することにより、放射線ビームをコリメートして放射線源の回転移動方向について幅狭のファンビームとし、放射線源は、所定の軸周りに回転されながらファンビームを放射線検出手段に向けて照射し、放射線検出手段は、ファンビームを検出して、所定の軸に沿って伸びた細長状の放射線透視画像を出力し、断層画像取得手段は、複数の細長状となっている放射線透視画像を再構成して断層画像を取得することを特徴とするものである。
【００１０】
［作用・効果］本発明の構成によれば、コリメート手段は、放射線ビームをコリメートして放射線源の回転移動方向について幅狭のファンビームとする。この様に構成することで、取得される細長状の放射線透視画像に間接放射線が入射するのを抑制することができる。これにより、細長状の放射線透視画像のコントラストは高いものとなる。したがって、細長状の放射線透視画像を基に再構成された断層画像もコントラストが高いものとなり、診断に適した鮮明な断層画像が提供できる。
【００１１】
また、請求項２に係る発明は、請求項１に係る放射線断層撮影装置において、放射線検出手段における放射線を検出する検出面を覆うように配置された放射線グリッドを更に有し、放射線グリッドには、散乱放射線を吸収する第１方向に伸びた吸収箔の各々が所定の軸に配列されていることを特徴とする放射線断層撮影装置。
【００１２】
［作用・効果］この様な構成によれば、より確実に間接放射線が放射線透視画像に写りこむことを抑制することができる。細長状の放射線透視画像の短手方向における端部は、間接放射線が写りこむ余地がないので、コントラストは高い。しかしながら、放射線透視画像の長手方向における端部は、放射線ビームのコリメートの効果が十分に及ばず、図１２を用いて説明したような間接放射線が写りこむ場合がある。しかしながら、放射線透視画像の長手方向における端部に写りこもうとする間接放射線は、間接放射線を除去する放射線グリッドで除去される。この放射線グリッドには、第１方向に伸びた吸収箔が第２方向に配列されており、しかも、吸収箔は、所定の軸（放射線透視画像における長手方向）に配列されている。直接放射線は、直角に近い角度で放射線検出手段の検出面に入射する。一方、間接放射線は、検出面に鋭角でもって入射しようとする。間接放射線は、直接放射線が散乱したものであり、進行方向が大きく変更されているからである。このような鋭角でもって検出面に入射しようとする間接放射線は、放射線検出手段に入射する前に第１方向に伸びた吸収箔によって吸収される。この様にして、放射線透視画像の長手方向における間接放射線の除去は放射線グリッドに分担させ、放射線透視画像の短手方向における間接放射線の除去は、放射線をコリメートすることで行われる。この様な構成とすれば、確実に間接放射線が写りこんでいない放射線透視画像が取得できるのである。
【図面の簡単な説明】
【００１３】
【図１】実施例１に係る放射線断層撮影装置の構成を説明する機能ブロック図である。
【図２】実施例１に係るＸ線グリッドの構成について説明する平面図である。
【図３】実施例１に係るＸ線グリッドの構成について説明する断面図である。
【図４】実施例１に係るコリメータの構成を説明する斜視図である。
【図５】実施例１に係るＸ線断層撮影装置の動作を説明するフローチャートである。
【図６】実施例１に係るコリメータ開度変更ステップを説明する図である。
【図７】実施例１に係る撮影ステップを説明する図である。
【図８】実施例１に係る撮影ステップを説明する図である。
【図９】実施例１に係る撮影ステップを説明する図である。
【図１０】実施例１に係るＸ線グリッドの構成について説明する断面図である。
【図１１】従来構成に係る放射線断層撮影装置の構成を説明する機能ブロック図である。
【図１２】従来構成に係る放射線断層撮影装置の構成を説明する断面図である。
【図１３】従来構成に係る撮影ステップを説明する図である。
【実施例１】
【００１４】
以下、本発明に係る放射線断層撮影装置の実施例について図面を参照しながら説明する。また、実施例１におけるＸ線は、本発明に係る放射線の一例である。
【００１５】
まず、実施例１に係るＸ線断層撮影装置１に構成について説明する。図１は、実施例１に係る放射線断層撮影装置の構成を説明する機能ブロック図である。図１に示すように、実施例１に係るＸ線断層撮影装置１には、被検体Ｍを載置する天板２と天板２の下側に設けられたＸ線ビームを照射するＸ線管３と、天板２の上側に設けられるとともに被検体Ｍを透過したＸ線を検出するフラット・パネル・ディテクタ（ＦＰＤ）４とを備えている。また、実施例１に係るＸ線断層撮影装置１は、Ｘ線管３の管電圧、管電流、Ｘ線ビームのパルス幅を制御するＸ線管制御部６を有している。なお、Ｘ線管、およびＦＰＤの各々は、放射線源、および放射線検出手段の各々に相当する。
【００１６】
Ｘ線管３とＦＰＤ４とは、Ｃ型アーム７によって一括的に支持されている。この円弧状となっているＣ型アームは、２つの先端を有するが、その一端側にＸ線管３が、他端側にＦＰＤ４が設けられている。このＣ型アーム７は、天板２と干渉することがないように、天板２を避けるように湾曲した構成となっている。そして、このＣ型アーム７は、検査室の床面に配置された支柱８に支持される構成となっている。なお、Ｃ型アームは、本発明の支持手段に相当する。
【００１７】
また、Ｃ型アーム７は、傾斜角度の変更が可能となっている。すなわち、Ｘ線断層撮影装置１には、Ｃ型アーム回転移動機構１１と、これを制御するＣ型アーム回転移動制御部１２とが設けられており、Ｃ型アーム７は、被検体Ｍの体軸方向Ａに平行な中心軸Ｑ周りに、回転移動自在となっている。図１においては、矢印Ｆが示すように、支柱８がＣ型アーム７を支持する支点を回転移動の中心として、時計回りに１回転させることもできれば、逆に、反時計回りに１回転させることもできる。なお、中心軸Ｑは、所定の軸に相当する。
【００１８】
また、Ｘ線断層撮影装置１は、ＦＰＤ４から出力された信号をＸ線透視画像に変換する画像処理部１５と、操作者の操作を取得する操作卓２２とを備えている。操作者は操作卓２２を通じてＣ型アーム７の位置・姿勢を変更させることができる。
【００１９】
Ｘ線断層撮影装置１は、画像処理に関する画像処理部１５と再構成部１６とを備えている。この再構成部１６は、本発明の断層画像取得手段に相当する。
【００２０】
Ｘ線グリッド５は、ＦＰＤ４の有するＸ線検出面を覆うように設けられている。図２は、実施例１に係るＸ線グリッドの構成について説明する平面図である。図２に示すように、実施例１に係るＸ線グリッド５は、被検体の所定の第１方向に延伸した短冊状の吸収箔５ａを備えている。この吸収箔５ａは、第１方向に直交する第２方向に配列しており、Ｘ線グリッド５全体で見れば、ブラインド状に配列される。そして、その配列ピッチは、例えば、５００μｍとなっている。なお、この吸収箔５ａは、Ｘ線を吸収するモリブデン合金からなっている。なお、ＦＰＤ４が天板２の直下にあるとき、第１方向は、被検体Ｍの体側方向Ｓに沿っており、第２方向は、被検体Ｍの体軸方向Ａに沿っている。なお、Ｘ線グリッド５は、本発明の放射線グリッドに相当する。すなわち、吸収箔５ａは、Ｘ線管３とＦＰＤ４とを結ぶ線分、および被検体Ｍの体軸方向Ａとのいずれにも直交する方向に沿って延伸している。
【００２１】
続いて、吸収箔５ａの傾斜について説明する。Ｘ線グリッド５における吸収箔５ａは、図３に示すように、吸収体５における体軸方向Ａについての端部に向かうに従って次第に傾斜している。このように、実施例１に係るＸ線グリッド５１に備えられた吸収箔５ａは、ファン状のＸ線ビームが照射されたときに、放射状に広がるＸ線を通過させるように傾斜が変更された構成となっている。
【００２２】
なお、Ｘ線管３には、Ｘ線管３から照射されるＸ線をコリメートするコリメータ９が付設されている。コリメータ９の構成について説明する。図４は、本発明に係るコリメータの構成を説明する斜視図である。図４に示すように、コリメータ９は、板状のリーフ９ａ，９ｂを４枚組み合わせて構成される。１対の第１リーフ対９ａは、体軸方向Ａにおける放射線ビームの照射幅を調整するもので、同期的に反対方向に移動することで、放射線ビームの照射幅を広げ、同一距離だけ同方向に移動することで放射線ビームの照射幅を狭める構成となっている。つまり、１対の第１リーフ対９ａは、放射線ビームの中心軸Ｃを基準として、鏡像対象に同期移動する構成となっている。また、同様に、１対の第２リーフ対９ｂは、体側方向Ｓにおける放射線ビームの照射幅を調整するもので、１対の第２リーフ対９ｂは、放射線ビームの中心軸Ｃを基準として、鏡像対象に同期移動する構成となっている。したがって、Ｘ線管３が鉛直下向きに向いているとき、４角錐状となっている放射線ビームの中心軸Ｃは、鉛直下向きに向いている。なお、このコリメータ９の開度は、コリメータ制御部１０によって制御される。
【００２３】
また、Ｘ線断層撮影装置１は、図１に示すように、各制御部６，１０，１２を統括的に制御する主制御部２４をも備えている。この主制御部２４は、ＣＰＵによって構成され、各種のプログラムを実行することにより各制御部６，１０，１２を実現している。また、上述の各制御は、それらを担当する制御装置に分割されて実行されてもよい。この他に、実施例１に係るＸ線断層撮影装置１は、被検体ＭのＸ線透視画像を表示する表示部２３を備えている。
【００２４】
次に、実施例１に係るＸ線断層撮影装置１の動作について説明する。図５は、実施例１に係るＸ線断層撮影装置の動作を説明するフローチャートである。実施例１に係るＸ線断層撮影装置１を用いて被検体Ｍの断層画像を取得する動作は、被検体Ｍを天板２に載置する載置ステップＳ１と、コリメータ９の開度を変更するコリメータ開度変更ステップＳ２と、Ｃ型アーム７を回転させながら、被検体ＭのＸ線透視画像を複数枚、撮影する撮影ステップＳ３と、取得されたＸ線透視画像を再構成することにより、被検体Ｍの断層画像を取得する断層画像取得ステップＳ４とを有している。以降、図面を参照しながら、各ステップの詳細を順を追って説明する。
【００２５】
まず、被検体Ｍが天板２に載置される（載置ステップＳ１）。そして、操作者は、操作卓２２を通じて、被検体Ｍの断層画像を取得する旨の指示を行う。図６（ａ）は、Ｘ線断層撮影装置１を被検体Ｍの体側方向Ｓに沿って裁断したときの断面図である。図６（ａ）に示すように、コリメータ制御部１０は、第２リーフ対９ｂは、体側方向Ｓにおける放射線ビームの照射幅を調整する第２リーフ対の開度を小さなものとする（コリメータ開度変更ステップＳ２）。第１リーフ対９ａ，および第２リーフ対９ｂによってコリメートされたＸ線ビームは、被検体Ｍの体軸方向〔図６（ａ）における紙面の深さ方向〕に向けて広がる扇型のファンビームとなっている。Ｘ線管３は、図６（ａ）の矢印が示すように、被検体Ｍの体軸方向Ａに平行な中心軸Ｑ周りに回転するのであるから、Ｘ線ビームは、図６（ａ）におけるＸ線管３に付された矢印で示すＸ線管３の回転移動方向に幅狭のファンビームとなっている。
【００２６】
一方、図６（ｂ）は、Ｘ線断層撮影装置１を被検体Ｍの体軸方向Ａに沿って裁断したときの断面図である。体軸方向Ａにおける放射線ビームの照射幅を調整する第１リーフ対９ａの開度は、第２リーフ対９ｂの開度よりも大きくなっている。具体的には、Ｘ線ビームは、ＦＰＤ４の体軸方向Ａにおける両端４ａ，４ｂに到達することができる。
【００２７】
したがって、Ｘ線ビームは、ＦＰＤ４の一部に入射することになる。具体的には、図６（ｃ）に示すように、ＦＰＤ４における体側方向Ｓの両端部に挟まれるとともに体軸方向に延びた短冊状の領域ＲにＸ線ビームが入射することになる。このとき、図６（ｄ）に示すように、短冊状の領域Ｒの体側方向Ｓにおける両端部から被検体Ｍの透視画像がはみ出していてもよい。なお、図６（ｃ）における矢印はＦＰＤ４の回転移動の方向を示している。
【００２８】
コリメータ９の開度が調節されると、Ｃ型アーム７は、回転移動制御部１０の制御にしたがって、被検体Ｍの体軸（中心軸Ｑ）周りに１回転する。これにより、Ｘ線管３，およびＦＰＤ４は、相対位置を保ったまま、回転されることになる。その際に、Ｘ線管３は、ＦＰＤ４に向けてファンビームを間欠的に照射し、その度ごとにＦＰＤ４に投影された被検体Ｍの放射線透視画像が撮影される（撮影ステップＳ３）。このＸ線透視画像は、ＦＰＤ４における領域Ｒと同様の形状をしており、被検体Ｍの体軸方向Ａに伸びた短冊状である。撮影ステップＳ３において撮影されるＸ線透視画像を、便宜上、短冊状画像と呼ぶ。Ｘ線管３，およびＦＰＤ４とが１回転する間に、３６０枚の短冊状画像が撮影される。
【００２９】
第２リーフ対９ｂの開度を小さなものとする効果について説明する。説明の便宜上、Ｘ線管３が被検体の鉛直上向きにある場合を考えると、図７に示すように、体側方向Ｓ（一般には、Ｘ線管３の回転移動方向）についてＸ線ビームＢは、コリメータ９により幅狭となっている。そして、短冊状画像は、ＦＰＤ４のうちのＸ線ビームＢが照射する領域Ｒから取得された検出データのみを用いる。この領域Ｒは、Ｘ線管３を基準に決定されるものであり、領域ＲとＸ線管３とは、体側方向Ｓについて、同一位置となっている。したがって、直接Ｘ線ｄは、領域Ｒに入射することができる。しかし、間接Ｘ線ｓは、領域Ｒに入射することができない。間接Ｘ線ｓの進行方向は、直接Ｘ線ｄの進行方向とは、相当異なっている傾向にあり、領域Ｒを迂回するからである。このようにして、短冊状画像には、直接Ｘ線ｄのみを写しこんでおり、間接Ｘ線の影響が回避される。
【００３０】
次に、従来のＸ線断層撮影と実施例１の構成と違いを説明する。一般的なＸ線断層撮影装置においても、図１３に示すように、Ｘ線管３と、ＦＰＤ４とが相対的な位置関係を保った状態で体軸方向Ａを中心に回転されながらＸ線透視画像が撮影される。このとき、被検体Ｍにおける体側方向Ｓの一端部に位置する端点ｐは、常にＸ線ビームに含まれる構成となっている。したがって、被検体Ｍの端点ｐは、撮影されたＸ線透視画像の全てに写りこんでいる。Ｘ線透視画像は、Ｘ線管３，およびＦＰＤ４とが１回転する間に、１０〜２０枚程度撮影され、端点ｐは、Ｘ線透視画像の各々で互いに異なる位置で写りこんでいる。従来の再構成部１６においては、Ｘ線管３，およびＦＰＤ４とが１回転する間の端点ｐの移動の挙動を基に、端点ｐが断層画像上にマッピングされる。すなわち、端点ｐをマッピングするには、Ｘ線管３，およびＦＰＤ４を移動させながら、１０〜２０枚のＸ線透視画像を撮影すればよいことになる。
【００３１】
実施例１の構成によれば、Ｘ線管３が被検体の上部に位置するとき、図８に示すように、端点ｐは、短冊状画像の視野の外に存する。したがって、このままでは、再構成部１６は、端点ｐを断層画像にマッピングすることができない。しかし、実施例１の構成によれば、Ｘ線管３，およびＦＰＤ４とが１回転する間に、３６０枚の短冊状画像が撮影される。その短冊状画像を取得する間に、まず、図９（ａ）に示すように、Ｘ線管３が端点ｐに向けて回転していき、Ｘ線管３と端点ｐとが接近する。この状態において、ファンビームは端点ｐを確実に通過する。しかも、Ｘ線管３，およびＦＰＤ４とを１度づつ回転する毎に短冊状画像を撮影するので、Ｘ線管３と端点ｐとが接近している状態において、端点ｐは、確実に５〜１０枚の短冊状画像に写りこむ。また、図９（ｂ）に示すように、ＦＰＤ４の領域Ｒが端点ｐに向けて回転していき、ＦＰＤ４の領域Ｒと端点ｐとが接近する。この状態において、ファンビームは端点ｐを確実に通過する。しかも、Ｘ線管３，およびＦＰＤ４とを１度づつ回転する毎に短冊状画像を撮影するので、ＦＰＤ４の領域Ｒと端点ｐとが接近している状態において、端点ｐは、確実に５〜１０枚の短冊状画像に写りこむ。
【００３２】
この様にして、Ｘ線管３，およびＦＰＤ４を移動させながら、端点ｐが写りこんだ１０〜２０枚の短冊状画像が撮影されるのである。この短冊状画像の枚数としては、端点ｐを断層画像上にマッピングするには、充分の枚数となっている。
【００３３】
撮影ステップＳ３で撮影された３６０枚の短冊状画像は、短冊状画像が取得された支柱７の回転角度の情報とともに再構成部１６に送出され、そこで、被検体Ｍを体側方向に沿って裁断したときの断層画像が取得される（断層画像取得ステップＳ４）。この断層画像の取得方法としては、周知のバックプロジェクション法が用いられる。短冊状画像は、散乱放射線の影響を受けていないので、被検体Ｍの透視像は、高いコントラストで写りこんでいる。これを基に断層画像が取得されるのであるから、最終的に取得される断層画像のコントラストも高いものとなる。再構成部１６が生成した断層画像は、表示部２３で表示されて実施例１に係るＸ線断層撮影装置の動作は完了となる。
【００３４】
以上のように、実施例１の構成によれば、コリメータ９は、Ｘ線ビームをコリメートしてＸ線管３の回転移動方向について幅狭のファンビームとする。この様に構成することで、取得される短冊状画像に間接Ｘ線ｓが入射するのを抑制することができる。これにより短冊状画像のコントラストは高いものとなる。したがって、短冊状画像を基に再構成された断層画像もコントラストが高いものとなり、診断に適した鮮明な断層画像が提供できる。
【００３５】
また、実施例１の構成によれば、Ｘ線グリッド５を備えることにより、確実に間接Ｘ線ｓが短冊状画像に写りこむことを抑制することができる。細長状の短冊状画像の短手方向における端部は、間接Ｘ線ｓが写りこむ余地がないので、コントラストは高い。しかしながら、第１リーフ対９ａの開度は、広いものとなっているので、短冊状画像の長手方向における端部は、図１２を用いて説明したように、間接Ｘ線ｓが写りこんでいないとは限らない。
【００３６】
しかしながら、短冊状画像の長手方向における端部に写りこもうとする間接Ｘ線ｓは、間接Ｘ線ｓを除去するＸ線グリッド５で除去される。この様子を図１０を用いて説明する。Ｘ線グリッド５には、被検体の体側方向Ｓに伸びた吸収箔５ａが被検体の体軸方向Ａ（中心軸Ｑの延伸方向）に配列されている。図１０（ａ）に示すように、直接Ｘ線ｄは、直角に近い角度でＸ線検出手段の検出面に入射する。一方、間接Ｘ線ｓは、直接Ｘ線ｄから分岐して生じたものであり、その進行方向が変更されている。この様な間接Ｘ線ｓの進行方向が、被検体の体側方向Ｓに変更されたものとすると、間接Ｘ線ｓは、ＦＰＤ４における体側方向Ｓの端部４ｐに向かい、領域Ｒに入射できず、結局、短冊状画像に写りこむことがない。
【００３７】
ところが、間接Ｘ線ｓの進行方向が、被検体の体軸方向Ａに変更されたものとすると、図１０（ａ）に示すように、間接Ｘ線ｓは、領域Ｒの体軸方向Ａの一端部に向かおうとする。このままでは、間接Ｘ線ｓが短冊状画像に写りこんでしまうことになる。ところが、このような進行方向が被検体の体軸方向Ａに変更された間接Ｘ線ｓは、被検体の体側方向Ｓ（一般には、ＦＰＤ４の回転移動方向）に伸びた吸収箔５ａに入射する。したがって、実施例１に係るＸ線断層撮影装置１において、間接Ｘ線ｓは、進行方向に係らず、短冊状画像に写りこむことがない。
【００３８】
なお、吸収箔５ａは、被検体の体軸方向Ａに向かうにしたがって、次第に傾斜されている。この様にすることで、図１０（ｂ）に示すように、短冊状画像における体軸方向Ａの端部に入射する直接Ｘ線ｄは、Ｘ線グリッド５を通過することになる。しかも、この直接Ｘ線ｄから分岐して生じる間接Ｘ線ｓは、図１０（ａ）の場合と同様に、吸収箔５ａで吸収される。
【００３９】
この様にして、領域Ｒの長手方向（短冊状画像の長手方向）における間接Ｘ線ｓの除去はＸ線グリッド５に分担させ、領域Ｒの長手方向（短冊状画像の短手方向）における間接Ｘ線ｓの除去は、Ｘ線をコリメートすることで行われる。この様な構成とすれば、確実に間接Ｘ線ｓが写りこんでいない短冊状画像が取得できるのである。
【００４０】
本発明は上述の構成に限られず、下記のように変形実施することができる。
【００４１】
（１）上述の構成は、Ｃ型アーム７を有していたが、本発明はこれに限られず、Ｘ線管３，およびＦＰＤ４とを対向移動させることができるガントリを有する放射線断層撮影装置にも適応できる。
【００４２】
（２）上述した各実施例は、医用の装置であったが、本発明は、工業用や、原子力用の装置に適用することもできる。
【００４３】
（３）上述した各実施例のいうＸ線は、本発明における放射線の一例である。したがって、本発明は、Ｘ線以外の放射線にも適応できる。
【符号の説明】
【００４４】
１    Ｘ線断層撮影装置（放射線断層撮影装置）
３    Ｘ線管（放射線源）
４    ＦＰＤ（放射線検出手段）
５    放射線グリッド（Ｘ線グリッド）
７    Ｃ型アーム（支持手段）
９    コリメータ（コリメート手段）
１０  コリメータ制御部（コリメート制御手段）
１６  再構成部（断層画像取得手段）
【図１】
2010233877.tif 000003
【図２】
2010233877.tif 000004
【図３】
2010233877.tif 000005
【図４】
2010233877.tif 000006
【図５】
2010233877.tif 000007
【図６】
2010233877.tif 000008
【図７】
2010233877.tif 000009
【図８】
2010233877.tif 000010
【図９】
2010233877.tif 000011
【図１０】
2010233877.tif 000012
【図１１】
2010233877.tif 000013
【図１２】
2010233877.tif 000014
【図１３】
2010233877.tif 000015